【事件の表示】
　特許第３３９３４７２号「写真撮影方法とその装置」の請求項１ないし１２に係る特許に対する特許異議の申立てについて、次のとおり決定する。
【結　論】
　訂正を認める。
　特許第３３９３４７２号の請求項１ないし１２に係る特許を維持する。
【理　由】
１．手続の経緯
　特許第３３９３４７２号の請求項１ないし１２に係る発明についての出願は、平成１２年９月１３日に出願されたものであって、平成１５年１月３１日にその発明について特許権の設定登録がされ、その後、その特許について、異議申立人重冨與八郎、森崎慎二より特許異議の申立てがなされ、取消しの理由が通知され、その指定期間内である平成１６年７月１２日に訂正請求がなされたものである。
　
２．訂正の適否についての判断
（１） 訂正の内容
ア．訂正事項ａ
　特許請求の範囲の請求項１を
「【請求項１】被写体を撮影するカメラと、被写体を照明する照明手段と、前記カメラで撮影された画像や必要事項を表示する表示手段と、撮影するための操作を入力する入力手段と、前記表示手段に表示された被写体などの画像をプリントして放出するプリンタと、これらの構成要素を制御する制御手段とを備え、
制御手段が、入力手段の撮影操作に基づいて照明手段で照明された被写体をカメラで撮影して表示手段に表示し、該表示された撮影画像をプリンタでプリントして放出制御する写真撮影方法であって、
前記カメラで撮影した撮影画像を画像取得手段でリアルタイムに取得し、
前記表示手段に重合せて設けたタッチパネルに対し、
手書き入力手段により撮影画像への
該手書き入力手段によって入力された手書き画像の表示を保持したまま、
繰り返し
前記タッチパネルに対する、前記表示手段に表示された種別選択ボタンを選択して行う、
前記
前記画像取得手段
により取得した前記カメラの撮像画像の静止画
前記
により入力された手書き画像
該記憶手段に記憶した
の静止画
前記制御手段が合成画像を前記表示手段およびプリンタに出力制御する写真撮影方法。」と訂正するものである（下線部が訂正箇所）。
イ．訂正事項ｂ
　特許請求の範囲の請求項２を
「【請求項２】被写体を撮影するカメラと、被写体を照明する照明手段と、前記カメラで撮影された画像や必要事項を表示する表示手段と、撮影するための操作を入力する入力手段と、前記表示手段に表示された被写体などの画像をプリントして放出するプリンタと、これらの構成要素を制御する制御手段とを備え、
制御手段が、入力手段の撮影操作に基づいて照明手段で照明された被写体をカメラで撮影して表示手段に表示し、該表示された撮影画像をプリンタでプリントして放出制御する写真撮影方法であって、
前記カメラで撮影した撮影画像を画像取得手段でリアルタイムに取得し、
該
該手書き入力手段によって入力された手書き画像の表示を保持したまま、前記表示手段に該撮影画像の動画又は静止画を表示して、該
前記画像取得手段
により取得した前記カメラの撮像画像の静止画
前記
により入力された手書き画像
該記憶手段に記憶した
の静止画
前記制御手段が合成画像を前記表示手段およびプリンタに出力制御する写真撮影方法。」と訂正するものである（下線部が訂正箇所）。
ウ．訂正事項ｃ
　特許請求の範囲の請求項７を
「【請求項７】被写体を撮影するカメラと、被写体を照明する照明手段と、前記カメラで撮影された画像や必要事項を表示する表示手段と、撮影するための操作を入力する入力手段と、前記表示手段に表示された被写体などの画像をプリントして放出するプリンタと、これらの構成要素を制御する制御手段とを備えた写真撮影装置であって、
前記カメラで撮影した撮影画像をリアルタイムに取得する画像取得手段と、
前記表示手段に重合せて設けたタッチパネルに対し、手書き入力を行う際に、
手書き入力された手書き画像の表示を保持したまま、
繰り返し
動画及び静止画の表示中のいずれにおいても、前記タッチパネルに対し、前記表示手段に表示された種別選択ボタンを選択して行う、撮影画像への手書き入力を許容する手書き入力手段と、
前記画像取得手段
により取得した前記カメラの撮像画像の静止画
前記
により入力された手書き画像
該記憶手段に記憶した
の静止画
前記制御手段が合成画像を前記表示手段およびプリンタに出力制御する写真撮影装置。」と訂正するものである（下線部が訂正箇所）。
エ．訂正事項ｄ
　特許請求の範囲の請求項８を
「【請求項８】被写体を撮影するカメラと、被写体を照明する照明手段と、前記カメラで撮影された画像や必要事項を表示する表示手段と、撮影するための操作を入力する入力手段と、前記表示手段に表示された被写体などの画像をプリントして放出するプリンタと、これらの構成要素を制御する制御手段とを備えた写真撮影装置であって、
前記カメラで撮影した撮影画像をリアルタイムに取得する画像取得手段と、
該
は
該手書き入力手段によって入力された手書き画像の表示を保持したまま、前記表示手段に該撮影画像の動画又は静止画を表示して、
該
前記画像取得手段
により取得した前記カメラの撮像画像の静止画
前記
により入力された手書き画像
該記憶手段に記憶した
の静止画
前記制御手段が合成画像を前記表示手段およびプリンタに出力制御する写真撮影装置。」と訂正するものである（下線部が訂正箇所）。
オ．訂正事項ｅ
　明細書の【００１０】段落を
「【課題を解決するための手段】
　この発明は、被写体を撮影するカメラと、被写体を照明する照明手段と、前記カメラで撮影された画像や必要事項を表示する表示手段と、撮影するための操作を入力する入力手段と、前記表示手段に表示された被写体などの画像をプリントして放出するプリンタと、これらの構成要素を制御する制御手段とを備え、制御手段が、入力手段の撮影操作に基づいて照明手段で照明された被写体をカメラで撮影して表示手段に表示し、該表示された撮影画像をプリンタでプリントして放出制御する写真撮影方法またはその装置であって、前記カメラで撮影した撮影画像を画像取得手段でリアルタイムに取得し、前記表示手段に重合せて設けたタッチパネルに対し、
手書き入力手段により撮影画像への
該手書き入力手段によって入力された手書き画像の表示を保持したまま、
繰り返し
前記
により取得した前記カメラの撮像画像の静止画
前記
により入力された手書き画像
該記憶手段に記憶した
の静止画
カ．訂正事項ｆ
　明細書の【００１１】段落を
「この構成によれば、切換え手段で、表示手段に表示する撮影画像を動画又は静止画に
繰り返し
入力された手書き画像の表示を保持したまま
キ．訂正事項ｇ
　明細書の【００１４】段落を
「さらに、この発明は、撮影画像の表示前においては、前記表示手段に重合せて設けたタッチパネルに対する、手書き入力手段による手書き画像の手書き入力を許容するとともに、
該手書き入力手段によって入力された手書き画像の表示を保持したまま、前記表示手段に該撮影画像の動画又は静止画を表示して、該
該
ク．訂正事項ｈ
　明細書の【００４８】段落を
「次に、写真シール自動販売機１１の制御動作を図５に示すフローチャートを参照して説明する。　
　ＣＰＵ３１はカメラ２１から撮影された動画の映像データを、撮影開始の指示があるまで連続して取得し、
撮影実行により静止画を
ケ．訂正事項ｉ
　明細書の【００７４】段落を
「【発明の効果】
　この発明によれば、動画撮影中に手書き画像の入力ができるため、動画を見ながら手書きを楽しむことができる。さらに、切換え手段で、表示手段に表示する撮影画像を動画又は静止画に
繰り返し
入力された手書き画像の表示を保持したまま
　
（２） 訂正の目的の適否、新規事項の有無及び特許請求の範囲の実質的拡張・変更の存否
　上記訂正事項ａないしｄは、特許請求の範囲の減縮、並びに明りょうでない記載の釈明を目的とした明細書の訂正に該当し、また、上記訂正事項ｅないしｉは、明りょうでない記載の釈明を目的とした明細書の訂正に該当し、いずれも、新規事項の追加に該当せず、実質上特許請求の範囲を拡張し、又は変更するものではない。
　
（３） むすび
　以上のとおりであるから、上記訂正は、特許法第１２０条の４第２項及び同条第３項において準用する特許法第１２６条第２項及び第３項の規定に適合するので、当該訂正を認める。
　
３．特許異議申立てについての判断
（１）申立理由の概要
　異議申立人重冨與八郎は、本件請求項１ないし１２に係る発明の特許に対して、証拠として甲第１号証（特開平１０−１０８１１２号公報）、甲第２号証（登録実用新案公報第３０６２１０１号）、甲第３号証（特開２０００−６９４０４号公報）、甲第４号証（特開２０００−２１５２５０号公報）、甲第５号証（特開２００１−１００３０２号公報）を提出し、本件請求項１ないし１２係る発明の特許は、特許法第２９条第１項、または第２項、または同法第２９条の２の規定に違反してなされたものであり、本件請求項１ないし１２に係る発明の特許は取り消されるべきものである旨主張している。
　また、本件請求項１及び７に係る発明の特許は、特許法第３６条第６項第１号及び第２号に規定する要件を満たしていない出願に対してなされたものであるので、取り消されるべきである旨主張している。
　また、異議申立人森崎慎二は、本件請求項１ないし１２に係る発明の特許に対して、証拠として甲第１号証（特開２０００−６９４０４号公報）、甲第２号証（特開２０００−１１５６３８号公報）、甲第３号証（特開平９−１４９３０７号公報）、甲第４号証（登録実用新案公報第３０２８３２７号）、甲第５号証（登録実用新案公報第３０６４４８６号）、甲第６号証（登録実用新案公報第３０２３７００号）、甲第７号証（実願平３−１０４１３７号（実開平５−４５７１８号）のＣＤ−ＲＯＭ）、甲第８号証（特開平５−２７３６６７号公報）を提出し、本件請求項１ないし１２係る発明の特許は、特許法第２９条第２項の規定に違反してなされたものであり、取り消されるべきものである旨主張している。
　
（２）本件発明
　上記のとおり、平成１６年７月１２日付の訂正請求は認容されるので、本件の請求項１ないし１２に係る発明（以下「本件特許発明１ないし１２」という。）は、訂正明細書の特許請求の範囲の請求項１ないし１２に記載されたとおりのものと認める。
　
（３） 引用刊行物記載の発明
　当審が通知した取消理由に引用した刊行物１（特開平１０−１０８１１２号公報、申立人重冨與八郎（以下「申立人Ａ」という。）の提出した甲第１号証）には、撮影機、液晶タブレット一体型映像データ印刷装置に関し、下記の事項が図面とともに記載されているものと認められる。
（ア）動画を撮影するカメラ等の撮像手段と、コインを識別するコインアクセプターと、静止画像データが蓄積されているハードディスク等の記憶手段と、コンピュータブロックと、映像出力制御手段と、任意のデータ書き込み及び操作制御が可能な座標入力タブレット等の座標入力装置が一体になった液晶モニタ等の映像表示手段と、映像データが印刷される印刷手段とを備え、コンピュータブロックには、映像信号をデジタル変換するためのキャプチャーボード、映像メモリ、ＣＰＵが含まれる映像データ印刷装置において、撮像手段によって撮像された映像データと、記憶手段に蓄積された静止画像データは、映像出力制御手段に並列的に出力されており、映像出力制御手段はそれらのデータを選択して、又は組み合わせて映像表示手段に出力することができること、装置にコインが投入される前においても、映像表示手段には映像出力制御手段によって静止画像データを選択して表示してもよいし、撮像された映像データを選択して表示してもよい。また、撮像された映像データと静止画像データを画面合成して表示してもよいこと（第３頁左欄第６、７段落）。
（イ）撮像手段で撮像した動画を映像メモリに格納し、映像データとして映像表示手段に出力した後に、映像表示手段の画面に対して座標入力手段を直接操作することにより、データ書き込みをしたい位置に任意の静止画像データや図形データを入力することができる。また、座標入力装置の操作にて操作メニューを選択し、静止画像データを呼び出し、任意の位置にデータ書き込みを行うこともできるため、時間を要する例えばアニメやキャラクターデザインなどの複雑な図形データ書き込みも容易に行うことができること、映像データ印刷装置では、撮像手段で撮影し映像メモリに記憶した映像データに座標入力装置の操作で任意の図形データを書き込むことができると共に、予め静止画像データを用意しておくため、複雑な図形データの書き込みも容易に行うことができ、完成させた映像データを前記のようなゲームとしても楽しむことができるし、プリンターなどに印刷出力データとして搬送し、高画質の安定したプリントアウトを行うこともできること（第３頁左欄第８段落、右欄第１１段落）。
（ウ）映像メモリ内１４には、撮影データ出力モードの映像データを記憶する記憶領域と静止画像データ出力モードの映像データを記憶する記憶領域とが独立して設定されており、２つの出力モードが同時に動作している。映像出力制御回路１５では、カメラ出力モードよりの映像データと、静止画像データ出力モードよりの静止画像データを液晶タブレット５に出力する方法を任意に設定できる。例えば、映像データあるいは静止画像データのいずれか一方を優先出力する方法や、映像データと静止画像データのいずれをも２画面として同時に映像出力する方法等を任意に設定することができること、撮像手段８で撮像された映像データに修正を加えた後に、出力装置９にデータ搬送し印刷すること（第４頁左欄第１５段落、右欄第１９段落）。
（エ）落書きモードを選択した場合、セルフタイマーボタン４２ａを押下すると、撮影実行画面４３に移り、ウインドウ４３ｂの下方領域４３ａにカウントダウンがアニメ表示で表示され、映像メモリ１４に取り込まれた映像データが固定されること、落書き画面４５では、映像メモリ１４に取り込まれた映像データに液晶タブレット５の座標入力装置（ペン）を用いて任意のデータ書き込みすると方法と、ハードディスク１１にメモリされた静止画像データを貼り付けることでデータ書き込みする方法とがある。画面の左に表示されている「えんぴつ」を選択すると、ウインドウ４５ｂに表示された映像データにフリーハンドによる任意の書き込みをすることができる。「スタンプ」を選択すると、画面下方に表示されている複雑なアニメやキャラクターデザインを図形化した画像４５ａをペンで選択して所望の位置に貼り付けることができること（第５頁左欄第２１、２３段落）。
　同刊行物２（登録実用新案公報第３０６２１０１号、申立人Ａの提出した甲第２号証）には、撮像加工プリント装置に関し、下記の事項が図面とともに記載されているものと認められる。
（オ）撮像加工プリント装置は、利用者により持ち込まれた被写体を挿入する取込口と、利用者をハーフミラーを介して撮り込む撮影手段と、取込口より挿入された被写体を撮り込む画像撮込手段と、撮影手段又は画像撮込手段から撮り込まれた撮像を表示させるモニター手段と、モニター手段に表示された撮像をハーフミラーを介して利用者に見せる表示窓と、表示窓の両側に設けられた利用者の顔を照らす照明灯と、撮り込まれた撮像の利用目的アイテムと該撮像の画像データを加工する加工方法アイテムとを選択するアイテム選択手段と、アイテム選択手段により選択されたアイテムを確定する決定手段と、撮り込まれた撮像を画像データとして格納する加工前画像データ記憶手段と、決定手段により確定された撮像の利用目的情報を格納する利用目的記憶手段と、画像データ記憶手段から読み出された画像データを決定手段により確定された画像データの加工方法に基づき加工処理する演算手段と、演算手段により加工処理された加工後の画像データを格納する加工後画像データ記憶手段と、加工後画像データ記憶手段から読み出された加工後画像データを利用目的記憶手段に格納された利用目的情報に基づき所定のシートにプリントする印刷手段と、プリントされたシートを取り出す取出口とを含んで構成されること（第８、９頁第６段落）。
（カ）撮像加工プリント装置の筐体１内には、第１の CCDカメラ（撮影手段）16と、取込口12に挿入された被写体を画像として撮り込む、筐体１内から取込口12に向けて設けられた第２の CCDカメラ（画像撮込手段）17と（図２参照）、デモ画面、選択画面、第１の CCDカメラ16で撮影された利用者の撮像、第２の CCDカメラ17から撮り込まれた利用者の撮像及び加工後画像を表示する、ハーフミラー15下方から該ハーフミラー15に向けて設けられた CRT（モニター手段）18と、投入口11から投入されたコインをカウントするコインセレクタ19と、ポスター、カレンダー又は包装紙等として利用できるA3又はA2サイズ等の比較的大きいサイズの用紙に加工後画像を印刷するプリンタ20と、CRT18 にデモ画面を表示させ、コインセレクタ19から出力される投入信号を受けてスピーカ５，５からＢＧＭ及び効果音を出力して照明灯６，６を点灯させ、利用者により選択ハンドル７が操作され、決定ボタン８又はキャンセルボタン９が押されることにより、第１の CCDカメラ16、第２の CCDカメラ17、CRT18 及びプリンタ（印刷手段）20を制御する制御装置21が設けられていること（第１１、１２頁第１７段落）。
　同刊行物３（特開２０００−６９４０４号公報、申立人Ａの提出した甲第３号証、申立人森崎慎二（以下「申立人Ｂ」という。）の提出した甲第１号証）には、画像プリント作成装置に関し、下記の事項が図面とともに記載されているものと認められる。
（キ）筐体２の前面には、上方から下方へ向かって鏡板５、操作パネル６及び下部扉７が設けられる。鏡板５は利用者が撮影の際に自己の姿勢を映し出してポーズをとるために使用される。鏡板５の略中央には利用者を撮影するためのＣＣＤカメラ８が埋め込まれる。鏡板５の左右両側には照明１９が設けられ、撮影の際に利用者を照明する。さらに、鏡板５上にはＣＣＤカメラ８の左右に水平に複数のインジケータ３０が設けられている。このインジケータ３０は利用者に対して撮影タイミングを知らせる機能を有する。撮影タイミングが近づくと外側のインジケータから順に点灯し、撮影タイミングで左右から中央へ移動した点灯がＣＣＤカメラ８の位置に収束する。操作パネル６の中央には液晶ディスプレイを利用したモニタ１０が設けられ、その左右両側にタッチペン１１が設けられる。利用者画像の撮影が終了すると、撮影された画像がモニタ１０上に表示され、利用者はタッチペン１１を利用して撮影画像上に化粧処理を施すことができる。化粧処理の詳細については後述する。また、モニタ１０上には、撮影画像の他に、画像プリントの作成及び印刷処理の進行段階に応じて種々の選択ボタン、メッセージなどが表示され、モニタ１０上に表示された選択ボタンをタッチペン１１を利用して選択することにより処理が進行する。本実施形態においては、タッチペン１１が２つ設けられており、撮影画像上に２人の利用者が同時に化粧処理やお絵かき処理などを行うことができる。なお、操作パネル６には、硬貨投入口１２が設けられている。下部扉７には、景品などの払出口１３及び硬貨返却口１４が設けられている。画像プリント作成装置１においては、主としてマイクロプロセッサにより構成されるＣＰＵ５０が全体の動作、処理を制御する。即ち、各処理部はバス５３を介してＣＰＵ５０に接続され、制御されること、装置には、パレット選択ボタン４５、スタンプボックス４７、ペン指定ボタン４１が設けられること（第４頁左欄第２３ないし２７段落）。
　同刊行物４（特開２０００−２１５２５０号公報、申立人Ａの提出した甲第４号証）には、商品情報処理装置における音声スイッチが記載されている。
　同刊行物５（特開２０００−１１５６３８号公報、申立人Ｂの提出した甲第２号証）には、デジタルカメラ装置及び画像データ撮影記録方法に関し、下記の事項が記載されているものと認められる。
（ク）デジタルカメラ装置は画像データ制御部で例えば被写体の光学像をリアルタイムでデジタル画像データに変換し、アイコン等を用いた入力部より入力された信号を入力制御部でデジタルデータに変換し、合成部でこのデジタル画像データとデジタルデータを合成してリアルタイムで表示部に表示する。入力部からは自由にデザインされた画像が入力可能であり、シャッター入力手段の入力タイミングでデジタル画像データとデジタルデータが記録部に記録される（第３頁左欄第８段落）。
（ケ）２は入出力部であり、薄型で文字の表示可能なマトリックス方式から成る液晶表示部２−１（図４参照）と、液晶表示部２−１を覆う大きさを有する透明タブレット部２−２（図４参照）とから成っている。透明タブレット部２−２は例えば透明なシート２枚の内側面に透明電極を設け、通常状態において各々が電極が接触しないように小さな突起状のスペーサが規則正しく印刷されており、指又は入力ペン７にて指示することにより透明電極が接触するので、選択された位置を検出することが可能となっていること、図２（ａ）に入出力部２のデータ表示ウィンドウ８にリアルタイムで撮影中の画像を表示している。表示画像はＣＣＤカメラによって取り込まれた第１画像と、描画するためのアプリケーションによって描画を行うための第２画像とが重なった状態で表示されていること、ツールバー９は撮影画像に文字や図形を書き込むために用いる各種ツールがアイコンの形で配置されている。実行したい処理や機能の選択は、ツールバー９のアイコン９−１〜９−１０を入力ペン７を用いてタッチすることによって行い、それによって操作や機能を選択した後、入力ペン７で画面上をタッチすることによって第２画面に図形を描画したり、図形の属性を決定したり、切り張り処理を行ったり等することができること（第４頁左欄第２４、２７段落、右欄第３０段落）。
（コ）リアルタイムで撮影している画像を見ながらファインダー画像として図２（ｂ）示すように文字や図形を入力し、シャッターボタン６を押すと、データ表示ウィンドウ８に表示された第１画像である撮影画像と、第２画像である入力データと文字入力枠１０のデータが関連付けられて記憶されること、撮影画像バッファ２７に記憶されている画像は合成部２８に第１層の画像として出力される。描画アプリケーションによる画像は、作画情報がタブレット制御部１３より入力制御部２９に出力され、さらに入力制御部２９から合成部２８に第２層として出力される。合成部２８で第１層と第２層の画像が合成され、データ入力ウィンドウ８に表示される画像は、第１画像が第１層として第２画像が第２層として重なった形で表示されることになること、第１層に表示される第１画像である画像データは、シャッターボタン６が押されることにより、ＲＡＭ１９の撮影画像データメモリ１９−４に記憶される。このとき、入力制御部２９に入力データが存在していた場合には、この時点の入力データ（つまり作画の状況）は入力データメモリ１９−３に記憶され、撮影画像データメモリ１９−４と入力データを関連付けるためのリンクデータが作成されて、それぞれのメモリのリンクデータエリアに記憶されること（第６頁右欄第５３、５５段落）。
（サ）ＲＡＭ１９からデータを取り出すときにリンクデータを参照して液晶表示部２−１に第１画像と第２画像を重ね合わせて表示することができる。また、第２画像のみの編集を行って再度ＲＡＭ１９に記録することもできること、本発明では、リアルタイムで被写体の光学像を取り込み、入力部から入力されたデータを重ねて表示部に表示し、入力部からの入力を写真フレームとして自由に作成することができるので、自由にデザインしたフレームに表示部に表示されるファインダー画像を重ねて見ながらシャッター入力により撮影を行うことができる。したがって、ファインダー画像を見ながらフレームの作成とそれに合わせた被写体像の重ね合わせが可能であるので、予め用意されたお仕着せのフレームでない個性的なデジタルスチル写真を簡単に作成することができる（第７頁左欄第５８段落、右欄第６７段落）。
　同刊行物６（特開平９−１４９３０７号公報、申立人Ｂの提出した甲第３号証）には、ペン入力機能を備える電子カメラに関し、下記の事項が記載されている。
（シ）切換スイッチ７は、被写体を撮影する撮影モードと、ペン入力を可能とするペン入力モードと、後述するメモリー部６または取り外し可能なＰＣカードメモリー部６に記録されている撮影画像データを表示部４に映し出す再生モードのいずれかを切換選択可能とされている。切換スイッチ７をペン入力モードに切り換えると、ペン形状ポインタ３の軌跡は撮影画像と重ね合わされて、リアルタイムに表示部４に出力される。このため、あたかもインクで描いているかのようにペン形状ポインタ３による入力を行うことができる。切換スイッチ７を撮影モードに切り換えると、撮影レンズ１１を通して得られる被写体画像が表示部４に映し出される。この状態でレリーズボタン１２を押すと、その時に映し出されていた画像がメモリー部６に記録される。また、背景が暗い場合には電子閃光装置（ストロボ）１３による発光を行う（第４頁右欄第７段落）。
（ス）電子カメラの電源スイッチをＯＮにした後、ペン入力検出部２の表示部４の一定領域に対応する部分をペン形状ポインタ３で押すと、メモ入力モードに移行し画面隅にペン表示色を示すパレット（黒、白、赤）が表示される。このパレットのいずれかを操作者が選択すると、選択された色でのメモ入力が可能となる。クリアボタン２７を押すとメモ（ペン入力画像データ）を消去するか否かを確認する画面が再度表示され、確認後メモは消去される。一方、入力されたメモは、確定ボタン２６が押された時点でメモリー部６に格納される。なお、上述のメモ入力モードでは撮影画像や再生画像は表示されておらず、無地背景にメモを入力する（第７頁右欄第３１段落）。
　同刊行物７（登録実用新案公報第３０２８３２７号、申立人Ｂの提出した甲第４号証）には、利用者が合成したい背景を選択し、その後、カメラに向かってポーズを取り、モニタで画像を確認してメモリボタンを押すことにより合成画像をメモリし、プリントする合成写真シール・プリントシステムが記載されている。
　同刊行物８（登録実用新案公報３０６４４８６号、申立人Ｂの提出した甲第５号証）には、直前の操作を取り消すための取り消しボタン、加工した画面を初期画面に戻すための初期画面ボタンを備えた映像プリント遊戯装置が、また、同刊行物９（登録実用新案公報３０２３７００号、申立人Ｂの提出した甲第６号証）、同刊行物１０（実願平３−１０４１３７号（実開平５−４５７１８号）のＣＤ−ＲＯＭ、申立人Ｂの提出した甲第７号証）、同刊行物１１（特開平５−２７３６６７号公報、申立人Ｂの提出した甲第８号証）には、それぞれ、Ｘ線操作スイッチであるフートスイッチを設けたＸ線撮影装置、フットスイッチを備えた画像形成装置、フットスイッチを備えたプリンタプロセッサが記載されている。
　
（４）本件特許発明１ないし１２は、特許法第２９条第１項または第２項の規定に違反してなされたものであり、取り消されるべきとの主張について
（ａ）本件特許発明１、２、７、８と上記刊行物１ないし３、５、６に記載の発明を対比、判断すると、
　上記刊行物１ないし３に記載の発明は、上記各刊行物の記載事項からみて、被写体を撮像手段で撮影し映像メモリに記憶した後、記憶した映像データを映像表示手段に表示させ、映像表示手段の画面に対して座標入力手段を直接操作することにより、データ書き込みをしたい位置に任意の静止画像データや図形データを入力するものであり、上記刊行物５に記載の発明は、リアルタイムで撮影している画像を見ながらファインダー画像として文字や図形を入力し、シャッターボタンを押すと、表示ウィンドウに表示された第１画像である撮影画像と、第２画像である入力データと文字入力枠１０のデータが関連付けられてＲＡＭに記憶されるものであり、さらに、第２画像のみの編集を行って再度ＲＡＭに記憶することもできるものである。また、上記刊行物６に記載の発明は、切換スイッチ７で撮影モードとペン入力モードと再生モードのいずれかを切換選択可能とされており、切換スイッチ７をペン入力モードに切り換えると、ペン形状ポインタ３の軌跡は撮影画像と重ね合わされて、リアルタイムに表示部４に出力され、さらに、メモ入力モードでは撮影画像や再生画像は表示されておらず、無地背景にメモを入力するものである。
　しかしながら、上記刊行物１ないし３、５、６に記載の各発明は、本件特許発明１、７における「表示手段に重合せて設けたタッチパネルに対し、手書き入力手段により撮影画像への手書き入力を行う際に、該手書き入力手段によって入力された手書き画像の表示を保持したまま、前記表示手段に表示した撮影画像を、動画又は静止画に切換え手段で繰り返し切換え許容するとともに、前記タッチパネルに対する、前記表示手段に表示された種別選択ボタンを選択して行う、前記手書き入力手段による撮影画像への手書き入力を、動画及び静止画の表示中のいずれにおいても許容」するという主要事項ａ、また、本件特許発明２、８における「撮影画像の表示前においては、表示手段に重合せて設けたタッチパネルに対する、手書き入力手段による手書き画像の手書き入力を許容するとともに、該手書き入力手段によって入力された手書き画像の表示を保持したまま、前記表示手段に該撮影画像の動画又は静止画を表示して、前記タッチパネルに対する、前記手書き入力手段による該撮影画像への手書き入力を許容」するという主要事項ｂを備えておらず、当該事項を示唆する記載もされていない。また、上記刊行物４、７ないし１１にも、上記各主要事項は記載も、示唆もない。
　そして、本件特許発明１、２、７、８は、上記各主要事項により、明細書に記載された「切換え手段で、表示手段に表示する撮影画像を動画又は静止画に繰り返し切換えでき、動画及び静止画の表示中のいずれにおいても入力された手書き画像の表示を保持したまま任意に切り替えて手書き入力できる。また、撮影画像の表示前および表示中においても手書き入力できるので、自由なタイミングで手書き入力でき、入力順序が制約されなくなる。よって、動画及び静止画の撮影画像を見ながら同時進行で書くこともできるなど楽しみ易い条件設定を実現できる。」という作用効果を奏するものであり、この点は前記各刊行物に記載のものからは期待することができない格別のものである。
　したがって、本件特許発明１、７は、上記刊行物１ないし１１に記載された発明と同一であるとは認められないし、上記刊行物１ないし１１に記載された発明に基づいて当業者が容易になし得たものとも認められない。
　また、本件特許発明２、８は、上記刊行物１ないし１１に記載された発明に基づいて当業者が容易になし得たものとも認められない。
（ｂ）本件特許発明３ないし６、９ないし１２は、本件特許発明１、２、７、８を引用する形式で記載された発明であって、本件特許発明１、２、７、８をさらに限定したものであるから、上記本件特許発明１、２、７、８についての判断と同様の理由により、上記各刊行物に記載された発明に基づいて当業者が容易になし得たものとは認められない。
　
（５）本件特許発明６、１２は、特許法第２９条の２の規定に違反してなされたものであり、取り消されるべきとの主張について
　本件特許発明６、１２は、本件特許発明１、７を引用する形式で記載された発明であって、本件特許発明１、７をさらに限定したものである。一方、本件申立人Ａが提出した甲第５号証に係る出願の願書に最初に添付した明細書または図面には、被写体の写真を撮影して販売する写真自販機に複数のフットスイッチを設け、被写体がいずれか１つまたは２つ以上のフットスイッチを操作したときの写真を撮影することが記載されているが、本件特許発明６、１２における上記主要事項ａは記載されておらず、示唆する記載もない。したがって、本件特許発明６、１２は、本件申立人Ａが提出した甲第５号証に係る出願の願書に最初に添付した明細書または図面に記載された発明と同一であるとは認められない。
　
（６）本件請求項１及び７に係る発明の特許は、その明細書が特許法第３６条第６項第１号及び第２号に規定する要件を満たしていない特許出願に対してなされたものであり、取り消されるべきとの主張について
　本件特許明細書の記載は、上記訂正事項ａ、ｃ、ｈの訂正により明確となり、また、請求項１及び７に記載された発明は発明の詳細な説明に記載されたものであることは明らかであるので、本件請求項１及び７に係る発明の特許は、特許法第３６条第６項第１号及び第２号に規定する要件を満たさない特許出願に対してなされたものであるとすることはできない。
　
４． むすび
　以上のとおりであるから、異議申立人重冨與八郎、森崎慎二の異議申立の理由及び証拠によっては、本件請求項１ないし１２に係る発明の特許を取り消すことができない。
　また、他に本件請求項１ないし１２に係る発明の特許を取り消すべき理由を発見しない。
　よって、結論のとおり決定する。
【異議決定日】
平成１７年１月１２日（２００５．１．１２）
【訂正の要旨】
審決（決定）の【理由】欄参照。
（５４）【発明の名称】
写真撮影方法とその装置
（５７）【特許請求の範囲】
　【請求項１】
　被写体を撮影するカメラと、被写体を照明する照明手段と、前記カメラで撮影された画像や必要事項を表示する表示手段と、撮影するための操作を入力する入力手段と、前記表示手段に表示された被写体などの画像をプリントして放出するプリンタと、これらの構成要素を制御する制御手段とを備え、
制御手段が、入力手段の撮影操作に基づいて照明手段で照明された被写体をカメラで撮影して表示手段に表示し、該表示された撮影画像をプリンタでプリントして放出制御する写真撮影方法であって、
前記カメラで撮影した撮影画像を画像取得手段でリアルタイムに取得し、
前記表示手段に重合せて設けたタッチパネルに対し、
手書き入力手段により撮影画像への
該手書き入力手段によって入力された手書き画像の表示を保持したまま、
繰り返し
前記タッチパネルに対する、前記表示手段に表示された種別選択ボタンを選択して行う、
前記
前記画像取得手段
により取得した前記カメラの撮像画像の静止画
前記
により入力された手書き画像
該記憶手段に記憶した
の静止画
前記制御手段が合成画像を前記表示手段およびプリンタに出力制御する
写真撮影方法。
　【請求項２】
　被写体を撮影するカメラと、被写体を照明する照明手段と、前記カメラで撮影された画像や必要事項を表示する表示手段と、撮影するための操作を入力する入力手段と、前記表示手段に表示された被写体などの画像をプリントして放出するプリンタと、これらの構成要素を制御する制御手段とを備え、
制御手段が、入力手段の撮影操作に基づいて照明手段で照明された被写体をカメラで撮影して表示手段に表示し、該表示された撮影画像をプリンタでプリントして放出制御する写真撮影方法であって、
前記カメラで撮影した撮影画像を画像取得手段でリアルタイムに取得し、
該
該手書き入力手段によって入力された手書き画像の表示を保持したまま、前記表示手段に該撮影画像の動画又は静止画を表示して、該
該
前記画像取得手段
により取得した前記カメラの撮像画像の静止画
前記
により入力された手書き画像
該記憶手段に記憶した
の静止画
前記制御手段が合成画像を前記表示手段およびプリンタに出力制御する
写真撮影方法。
　【請求項３】
　前記手書き入力手段での手書き画像を、ペン機能による画像または／およびスタンプ機能による画像にした
請求項１又は２に記載の写真撮影方法。
　【請求項４】
　表示手段の中央に撮影画像データおよび手書きデータの作成画面を設定し、その周囲にペン機能およびスタンプ機能の各種の手書き選択ボタンを設定し、これらの手書き選択ボタンで作成画面に手書き画像を入力する
請求項３に記載の写真撮影方法。
　【請求項５】
　前記手書き入力手段で入力された手書き入力画像に対して、手書き入力の直前の書き込みを取り消すやり直しまたは／および書込み内容のすべてを消去する全消去の入力を許容する
請求項１から４のいずれか１つに記載の写真撮影方法。
　【請求項６】
　前記切換え手段を、音声スイッチまたは／および足踏みスイッチとする
請求項１に記載の写真撮影方法。
　【請求項７】
　被写体を撮影するカメラと、被写体を照明する照明手段と、前記カメラで撮影された画像や必要事項を表示する表示手段と、撮影するための操作を入力する入力手段と、前記表示手段に表示された被写体などの画像をプリントして放出するプリンタと、これらの構成要素を制御する制御手段とを備えた写真撮影装置であって、
前記カメラで撮影した撮影画像をリアルタイムに取得する画像取得手段と、
前記表示手段に重合せて設けたタッチパネルに対し、手書き入力を行う際に、
手書き入力された手書き画像の表示を保持したまま、
繰り返し
動画及び静止画の表示中のいずれにおいても、前記タッチパネルに対し、前記表示手段に表示された種別選択ボタンを選択して行う、撮影画像への手書き入力を許容する手書き入力手段と、
前記画像取得手段
により取得した前記カメラの撮像画像の静止画
前記
により入力された手書き画像
該記憶手段に記憶した
の静止画
前記制御手段が合成画像を前記表示手段およびプリンタに出力制御する
写真撮影装置。
　【請求項８】
　被写体を撮影するカメラと、被写体を照明する照明手段と、前記カメラで撮影された画像や必要事項を表示する表示手段と、撮影するための操作を入力する入力手段と、前記表示手段に表示された被写体などの画像をプリントして放出するプリンタと、これらの構成要素を制御する制御手段とを備えた写真撮影装置であって、
前記カメラで撮影した撮影画像をリアルタイムに取得する画像取得手段と、
該
は
該手書き入力によって入力された手書き画像の表示を保持したまま、前記表示手段に該撮影画像の動画又は静止画を表示して、
該
前記画像取得手段
により取得した前記カメラの撮像画像の静止画
前記
により入力された手書き画像
該記憶手段に記憶した
の静止画
前記制御手段が合成画像を前記表示手段およびプリンタに出力制御する
写真撮影装置。
　【請求項９】
　前記手書き入力手段での手書き画像を、ペン機能による画像または／およびスタンプ機能による画像に設定した
請求項７又は８に記載の写真撮影装置。
　【請求項１０】
　表示手段の中央に撮影画像データおよび手書きデータの作成画面を設定し、その周囲にペン機能およびスタンプ機能の各種の手書き選択ボタンを設定した
請求項９に記載の写真撮影装置。
　【請求項１１】
　前記手書き入力手段で入力された手書き入力画像に対して、手書き入力の直前の書き込みを取り消すやり直しまたは／および書込み内容のすべてを消去する全消去の入力を許容する消去入力手段を設けた
請求項７から１０のいずれか１つに記載の写真撮影装置。
　【請求項１２】
　前記切換え手段を、音声スイッチまたは／および足踏みスイッチで形成した
請求項７に記載の写真撮影装置。
【発明の詳細な説明】
　【０００１】
　【発明の属する技術分野】
　この発明は、例えばアミューズメント施設（ゲームセンタなどの娯楽施設）に設置する写真撮影装置に関し、さらに詳しくはデジタルカメラ等で撮影した画像をシール紙にカラープリントして放出する写真シール自動販売機に適用されるような写真撮影方法とその装置に関する。
　【０００２】
　【従来の技術】
　一般に、上述例の写真撮影装置は、被写体を撮影するデジタルカメラと、被写体を照明するストロボなどの照明手段と、カメラで撮影された画像や必要事項を可視表示するディスプレイなどの表示手段と、撮影をスタートするスタートボタンなどのスイッチを有する入力手段と、上述のデジタルカメラで撮影した被写体のシールをカラープリントして放出するプリンタとを備え、上記デジタルカメラを筐体内部に組込んで構成している。
　【０００３】
　この写真撮影装置の使用に際しては、近年、図１４（Ａ）のフローチャートに示すように、顧客が利用料金を投入すると（ステップｎ３１）、
　作成されるシールの分割数を予め選択させた後、写真撮影し（ステップｎ３２〜ｎ２３）、
　さらに、撮影された画像に対して顧客による手書き入力操作を許容して所望の画像に作成していた（ステップｎ３４）。
　【０００４】
　そして、手書き入力操作が完了すると、その作成された画像をプリントアウトしていた（ステップｎ３５）。
　【０００５】
　また、手書き機能のない場合は、図１４（Ｂ）のフローチャートに示すように、顧客が利用料金を投入すると（ステップｎ４１）、
　作成される背景フレームや前景フレームを予め選択させた後、写真撮影し（ステップｎ４２〜ｎ４３）、
　さらに、その後に作成されるシール分割数を選択させた後にプリントアウトさせている（ステップｎ４４〜ｎ４５）。
　【０００６】
　さらに、動画に対する手書き機能を備えた場合は、図１４（Ｃ）のフローチャートに示すように、顧客が利用料金を投入すると（ステップｎ５１）、
　先ず、動画を記録させ（ステップｎ５２）、
　続いて、その動画を再生させる（ステップｎ５３）。
　【０００７】
　再生した動画の中から好みの画像を取出し（ステップｎ５４）、
　これに手書き入力を行わせた後、プリントアウトしている（ステップｎ５５〜ｎ５６）。
　【０００８】
　【発明が解決しようとする課題】
　しかし、このような写真撮影装置は、撮影をしてから落書き等の手書き入力を行うという予め定められた撮影順序のため、逆に手書き入力してから撮影したり、同時進行で並行して撮影操作するなどの自由度の大きい多様な利用が得られなかった。このため、手書き入力操作の自由度が制約されて、楽しみ度合いを最大限に利用できない問題を有していた。
　【０００９】
　そこでこの発明は、カラフルで自由に書込み可能な写真の作成に際して、画像取得と手書き入力操作をリアルタイムでほぼ同時に行える自由度の高い撮影を可能にした写真撮影方法とその装置を提供することを目的とする。
　【００１０】
　【課題を解決するための手段】
　この発明は、被写体を撮影するカメラと、被写体を照明する照明手段と、前記カメラで撮影された画像や必要事項を表示する表示手段と、撮影するための操作を入力する入力手段と、前記表示手段に表示された被写体などの画像をプリントして放出するプリンタと、これらの構成要素を制御する制御手段とを備え、制御手段が、入力手段の撮影操作に基づいて照明手段で照明された被写体をカメラで撮影して表示手段に表示し、該表示された撮影画像をプリンタでプリントして放出制御する写真撮影方法またはその装置であって、前記カメラで撮影した撮影画像を画像取得手段でリアルタイムに取得し、前記表示手段に重合せて設けたタッチパネルに対し、
手書き入力手段により撮影画像への
該手書き入力手段によって入力された手書き画像の表示を保持したまま、
繰り返し
前記
により取得した前記カメラの撮像画像の静止画
前記
により入力された手書き画像
該記憶手段に記憶した
の静止画
　【００１１】
　この構成によれば、切換え手段で、表示手段に表示する撮影画像を動画又は静止画に
繰り返し
入力された手書き画像の表示を保持したまま
　【００１２】
　前記構成のカメラは、デジタルカメラまたはデジタルビデオカメラ等を含む。前記構成の照明手段は、蛍光灯、白熱灯などの照明ランプやストロボ照明装置を含む。
　前記構成の表示手段は、陰極線管いわゆるＣＲＴによる表示装置または液晶表示装置などのディスプレイにて構成することができる。
　前記構成の入力手段は、タッチパネルによる入力装置またはスイッチによる入力装置で構成することができる。
　前記構成のプリンタは、モノトーンプリンタ、セピア（ｓｅｐｉａ）トーンプリンタまたはカラープリンタで構成することができる。
　【００１３】
　前記構成の制御手段、画像取得手段および合成手段は、ＣＰＵなどの制御装置で構成することができる。
　前記構成の手書き入力手段は、指先によるタッチ入力、タッチ入力ペンなどにより構成することができる。
　前記構成の記憶手段は、ＲＡＭなどの記憶制御系で構成することができる。
　【００１４】
　さらに、この発明は、撮影画像の表示前においては、前記表示手段に重合せて設けたタッチパネルに対する、手書き入力手段による手書き画像の手書き入力を許容するとともに、
該手書き入力手段によって入力された手書き画像の表示を保持したまま、前記表示手段に該撮影画像の動画又は静止画を表示して、該
該
　【００１５】
　前記構成によれば、撮像画像の取得に対して、手書き入力手段の入力タイミングに入力順序の制約がないので、撮影前に書いてもよく、撮影後に書いてもよく、また動画の撮影画像を見ながら同時進行で書くこともできるなど楽しみ易い条件設定を実現できる。この結果、顧客は手書き入力順序が制約されなくなり、自由度の高い写真撮影ができる。
　【００１６】
　また好ましい実施の形態として、前記手書き入力手段での手書き画像を、ペン機能による画像または／およびスタンプ機能による画像に設定することができる。
　【００１７】
　さらに、表示手段の中央に撮影画像データおよび手書きデータの作成画面を設定し、その周囲にペン機能およびスタンプ機能の各種の手書き選択ボタンを設定し、これらの手書き選択ボタンで作成画面に手書き画像を入力することができる。
　【００１８】
　前記構成のペン機能は、太さまたは／及び色を選択して絵や図柄および文字を手書き入力する機能で構成することができる。
　【００１９】
　前記構成のスタンプ機能は、スタンプ絵柄を用いて様々な模様や装飾などを入力する機能で構成することができる。
　【００２０】
　前記構成によれば、ペン機能やスタンプ機能を用いて様々な模様や装飾などを手書き入力操作することができる。
　前記手書き入力手段で入力された手書き入力画像に対して、手書き入力の直前の書込みを取消すやり直しまたは／および書込み内容のすべてを消去する全消去の入力を許容する消去入力手段を備えることができる。
　【００２１】
　また好ましい実施の形態として、切換え手段を音声スイッチまたは／および足踏みスイッチで構成することができる。
　【００２２】
　この場合は、静止画と動画を切換える際、顧客は手を使わずに音声や足踏み操作で切換えれるため、撮影中に任意のポーズをとりながら切換えたり、書込むなど撮影の自由度が広がる。
　【００２３】
　【発明の実施の形態】
　この発明の一実施の形態を以下図面に基づいて詳述する。
　図面は、例えばアミューズメント施設に設置されるような写真シール自動販売機を示し、図１において、この写真シール自動販売機１１は顧客が出入り自由の立体的な撮影領域１２をフレーム１３により形成し、この撮影領域１２と対向する位置に写真シール機１４の筐体１５の接客面１５ａを対設させている。
　【００２４】
　この筐体１５の接客面１５ａの上部中央に、撮影された画像や操作手順などの必要事項を可視表示する表示手段としてのディスプレイ１６が設置されている。
　【００２５】
　この実施の形態では、前記ディスプレイ１６は陰極線管いわゆるＣＲＴにより構成され、このディスプレイ１６は撮影画像の表示の他に、操作手順の表示、撮影画像に重ねる落書き等の編集画像の表示などを行うと共に、その表面にはタッチパネルによる入力装置１７（図３参照）を重合せて、画像の表示に対応した入力操作が可能になるように設けている。
　【００２６】
　さらに、ディスプレイ１６の下部の段差パネル部分には利用料金（硬貨）を投入する貨幣投入口１８と、写真シールを放出する写真シール放出口１９とを配設し、また貨幣投入口１８の下部の垂直パネル部分には貨幣の返却口２０を配設している。
　【００２７】
　さらに、ディスプレイ１６の上面中央部には被写体を撮影するカメラの一例としてデジタルカメラ２１を配置している。このデジタルカメラ２１は撮影領域１２内の１人または複数人の被写体をその正面から撮影すべく当該カメラ２１の撮影レンズを略水平に向けて設置したものである。ここで、上述のデジタルカメラ２１のディスプレイ１６への取付けは図示のようなディスプレイ１６の上面中央部に限定されるものではなく、ディスプレイ１６との視差が生じないようにディスプレイの周辺に取付ければよい。
　【００２８】
　また、撮影領域１２の前面両側および前面上部に、被写体を照明する照明手段としての照明装置２２を配置している。この照明装置２２としては蛍光灯、白熱灯などの照明ランプやストロボ照明装置を用いることができる。
　【００２９】
　なお、上述の撮影領域１２をスイッチのＯＮ時に通常点灯する点灯手段または該撮影領域１２に被写体としての人間が入ったことを赤外線センサなどの検知手段で検知して該撮影領域１２を自動照明する点灯手段を設けることが望ましい。
　【００３０】
　ところで、図２に示すように、ディスプレイ１６は背面中央部が角度調整装置２３に支持されて取付けられ、この角度調整装置２３の角度調整によりディスプレイ１６を上下左右の任意の方向に首振り可能に設けている。
　【００３１】
　例えば、図２に想像線で示すように、ディスプレイ１６を垂直に起立した位置から前傾方向に傾けるなど数段階の傾斜角度に位置決め固定して顧客２４が手書き入力し易い向きに設定することができる。このため、顧客２４は操作性が向上して、身長の異なる顧客毎に応じた入力し易い環境を作り出すことができる。また、この角度調整装置２３は手で動かして傾動させるように構成してもよく、また上下左右の向きに指示を与えて可変調整するように構成することもできる。
　【００３２】
　図３は写真シール自動販売機１１の制御回路ブロック図を示し、制御手段としてのＣＰＵ３１は入力装置１７からの入力信号、貨幣処理装置３２からの処理信号、デジタルカメラ２１からの画像データ（映像信号）に基づいて、ＲＯＭ３３に格納されたプログラムに従って、デジタルカメラ２１、照明装置２２、ディスプレイ１６、プリンタ３４、貨幣処理装置３２、スピーカ３５を駆動制御し、またＲＡＭ３６は画像データの一時記憶を含めて、その他必要なデータを記憶する。
　【００３３】
　ここで、上述の貨幣処理装置３２は図１に示す筐体１５に内蔵され、貨幣投入口１８から投入される貨幣投入の有無、投入された貨幣の真偽および金種判定を実行し、釣銭や偽貨幣を返却口２０から返却する。
　【００３４】
　また、プリンタ３４は筐体１５に内蔵され、デジタルカメラ２１で撮影した被写体の画像データに基づいて当該被写体の写真シールをプリントする。例えば、カラープリントして写真シール放出口１９から放出するが、カラープリントに代えてモノトーンやセピア等の単色にてプリントしてもよい。
　【００３５】
　さらに、スピーカ３５はＣＰＵ３５からの音声信号に基づいて顧客に音声案内を行う。
　【００３６】
　さらに、デジタルカメラ２１はＣＰＵ３１からの撮影信号により被写体を撮影し、照明装置２２はＣＰＵ３１からの照明制御信号により起動される。但し、照明装置２２としてストロボ照明装置を用いる際には、このストロボ照明装置は撮影信号によりデジタルカメラ２１のシャッタ動作と同時に発光すべく構成すればよい。
　【００３７】
　また、ディスプレイ１６はデジタルカメラ２１が撮影した画像データを元にＣＰＵ３１からのＲＧＢ信号（Ｒｅｄ、Ｇｒｅｅｎ、Ｂｌｕｅ、赤、緑、青の光の三原色の信号）により被写体のポーズを可視表示するモニタ機能をも備えている。
　【００３８】
　図４はディスプレイ１６の手書き入力用に設けられる操作パネル面４１を示し、この操作パネル面４１は中央部に被写体の画像データおよび手書きデータの作成領域として横長の四角形状の作成画面４２を表示し、この中央位置の作成画面４２を基準とする左側に撮影開始ボタン４３と、ペンや消しゴムなどの種別選択ボタン４４と、ペン太さ選択ボタン４５と、ペン色選択ボタン４６…とを表示し、右側にはスタンプ種別選択ボタン４７…を表示し、上部には既述したデジタルカメラ２１が搭載され、上側前面には複数のスタンプ絵柄選択ボタン４８…を表示し、下側にはやり直しボタン４９と全消去ボタン５０を表示している。
　【００３９】
　この場合、撮影開始ボタン４３は撮影開始を指示するボタンであり、また動画と静止画の画像切換え兼用に設けている。例えば、被写体をカメラで撮影している動画撮影時には、次に切換え可能な「静止画落書き」を表示案内している。これより同ボタン４３をタッチ入力すると動画から静止画に切換えて次に切換え可能な「動画落書き」または「Ｌｉｖｅ撮影」と表示案内する。
　【００４０】
　種別選択ボタン４４は絵や図柄および文字を描くためのペンやブラシ機能と、その内容を消すための消しゴム機能などを選択させる。
　【００４１】
　ペン太さ選択ボタン４５は描画するペン機能の太さを指定させ、ペン色選択ボタン４６は描画するペンの色を指定させる。
　【００４２】
　スタンプ種別選択ボタン４７は「普通」、「半透明」…などの種別を選択させ、スタンプ絵柄選択ボタン４８はスタンプ種別の中のスタンプ絵柄を選択させる。
　【００４３】
　やり直しボタン４９は今操作した書込み内容を取消して１つ前に戻る。全消去ボタン５０は今までの書込み内容を全て消去する。
　【００４４】
　さらに、手書き入力が完了した後は、操作パネル面４１に印刷開始ボタン（図面省略）を表示させるなど写真シールの発行に必要な入力ボタンを順次切換えて表示させる。
　【００４５】
　そして、撮影時にはデジタルカメラ２１で撮影した被写体の静止画および撮影している被写体の動画と、上述の各種ボタン４３〜５０を用いてタッチ入力式に手書き入力操作して顧客が所望する様々な合成画像を作成する。
　【００４６】
　この場合、手書き入力操作に際しては、カメラ２１で撮影した被写体の撮影画像がディスプレイ１６に表示される前であっても、表示後であっても任意に手書き入力することができ、ことに撮影画像を見ながら同時進行で書くこともできるなど顧客は撮影時の自由なタイミングで手書き入力でき、顧客は手書き入力順序が制約されなくなる。
　【００４７】
　また、ＣＰＵ３１は、撮影開始ボタン４３の表示が前述の「静止画落書き」のとき手書き入力画面を動画に、また「動画落書き」のとき手書き入力画面を静止画に、それぞれ切換える。
　【００４８】
　次に、写真シール自動販売機１１の制御動作を図５に示すフローチャートを参照して説明する。
　ＣＰＵ３１はカメラ２１から撮影された動画の映像データを、撮影開始の指示があるまで連続して取得し、
撮影実行により静止画を
　【００４９】
　一方、顧客が入力した手書き入力データがあれば、これを手書き画像メモリとしてＲＡＭ３６に記憶する（ステップｎ４，ｎ６，ｎ８）。
　【００５０】
　次に、ＣＰＵ３１は双方から得られた両画像メモリをタイミングをとって合成し、合成画像メモリとしてＲＡＭ３６に記憶する（ステップｎ９〜ｎ１１）。
　【００５１】
　この合成画像メモリは画像表示処理して今までの作成画面としてディスプレイ１６に表示する（ステップｎ１２〜ｎ１３）。
　【００５２】
　このとき、顧客から印刷指示があれば、シール印刷を行って一連の自動販売処理が終了する（ステップｎ１４〜ｎ１５）。
　【００５３】
　このように構成した写真シール自動販売機１１の作用を図６に示すフローチャートを参照して説明する。
　被写体としての１人または複数人の顧客が撮影領域１２に入り、顧客が貨幣投入口１８に貨幣を投入すると、これに基づいて貨幣処理装置３２から貨幣の処理信号がＣＰＵ３１に入力される。このとき、ＣＰＵ３１は前記処理信号により適正料金の貨幣が投入されたか否かを判定し、ＹＥＳ判定時にのみ次のステップに移行する（ステップｎ２１）。
　【００５４】
　次に、ＣＰＵ３１はディスプレイ１６に操作手順や、図７にも示すように、シール台紙へのシール配置パターン（分割数）について表示されたメニュの中から予め好みのものを選択させる（ステップｎ２２）。
　【００５５】
　選択後は被写体の動画をリアルタイムに撮影した落書き入力画面が表示される（ステップｎ２３）。
　【００５６】
　このとき、図８に示すように、ディスプレイ１６の作成画面４２にペン機能やスタンプ機能を用いて様々な模様や装飾などを入力操作することができる。また、リアルタイムに動画を見ながら書込んだり、先に書いておくなどの自由なタイミングで落書きを楽しむことができる（ステップｎ２４）。
　【００５７】
　この書込み中にやり直しボタン４９を入力すれば、直前の書込みを取消すことができ、全消去ボタン５０を入力した場合は今までの書込み内容を全て消去することができる。また、動画だけでなく静止画に対しても書込むように選択することもできる。
　【００５８】
　例えば、顧客が撮影開始ボタン４３の同位置に切換え表示されている「静止画落書き」の同ボタン４３をタッチ入力すると、スピーカ３５から「５・４・３・２・１」の音声ガイドと共に好みのポーズを撮影して動画から静止画の画面に切替わる。このときも静止画を撮影した後、書込んでもよく、予め書込んでもよい。
　【００５９】
　このような画像への書込みを繰返し実行できるものであり、このときは撮影開始ボタン４３から切替わって表示されている「Ｌｉｖｅ撮影」の同ボタン４３をタッチ入力すると、顧客が書いた落書き画像をそのまま保持した状態で動画に切換えることができる（ステップｎ２６〜ｎ２３）。
　【００６０】
　このような画像の切換えと手書き操作を繰返し行い満足する画像が作成できれば、ＣＰＵ３１はプリンタ３４に対してプリント画像データを出力する。プリンタ３４は入力されたプリント画像データにより作成された指定パターンの画像をシール台紙にプリントする（ステップｎ２７）。
　【００６１】
　続いて、ＣＰＵ３１は写真シール放出口１９の内部に設けられた搬出装置を駆動して、プリントされた写真シールを該放出口１９から放出する（ステップｎ２８）。
　【００６２】
　図９はこの発明の他の実施形態の写真シール自動販売機９１を示し、この写真シール自動販売機９１は表示装置としてのＣＲＴ９２を撮影領域９３の顧客９４と９０度向きの異なる筐体９５内の下部に上向きに配置し、かつデジタルカメラ９６を顧客９４と対面した筐体９５の内部位置に配置し、デジタルカメラ９６と顧客９４との間にハーフミラー９７を傾斜配設し、顧客９４の前面に透過型タッチパネル９８を配設することにより、顧客９４の手書き入力画像とＣＲＴ９２の表示画像との間の視差をなくすように構成している。
　【００６３】
　このようにＣＲＴ９２を筐体９５に内蔵して構成しても顧客に対する視差をなくすことができる。この場合も手書き操作に違和感がなくなり、自然に手書き操作を行うことができる。
　【００６４】
　図１０および図１１はこの発明の他の実施形態の写真シール自動販売機１０１を示し、この写真シール自動販売機１０１は図１〜図８で示した構造と略同一であるため、その異なる部分についてのみ説明する。
　【００６５】
　上部にデジタルカメラ１０２を搭載して入力操作ならびに表示を行う横長の四角形状のディスプレイ１０３を首振り台座１０４を介して床面位置から天井位置に向けて延びるガイドレール１０５に昇降自在に連結して構成したものである。
　【００６６】
　これにより、ディスプレイ１０３をガイドレール１０５に沿って上下方向の任意の位置に移動させることができる。このため、顧客１０６の正面位置からの撮影だけではなく、ディスプレイ１０３が下に来たときは、足元から見上げたときの上向きの撮影ができる。また、ディスプレイ１０３が天井近くに来たときは、上から見下ろした傾斜撮影ができる。このように、視点の異なる広い高さ領域、またその角度で通常では得られない向きに対しての撮影操作を楽しむことができる。
　【００６７】
　図１２は既述した図１０および図１１で示したディスプレイ１０３の首振り動作説明図を示し、このディスプレイ１０３の背面中央部に取付けられた首振り台座１０４がガイドレール１０５を回動基点として左右方向に回動自在に設けたものである。
　【００６８】
　例えば、ディスプレイ１０３を左側に回動させた場合は、図１２（Ａ）に示すように、左斜めから傾斜撮影した左傾斜画像が表示され、左傾斜した状態での手書き操作ができる。逆に、ディスプレイ１０３を右側に回動させた場合は、図１２（Ｂ）に示すように、右斜めから傾斜撮影した右傾斜画像が表示され、右傾斜した状態での手書き操作ができる。このように、ディスプレイ１０３を上下位置だけでなく、左右方向など任意の方向に回動させるなど顧客を中心とする自由な角度の方向から撮影でき、また手書き入力することができる。
　【００６９】
　図１３はこの発明の他の実施形態の写真シール自動販売機１３１を示し、この写真シール自動販売機１３１は図１〜図８で示した構造と略同一であるため、その異なる部分についてのみ説明する。
　【００７０】
　筐体１５の接客面１５ａの下部に足踏み式のフットスイッチ１３２を突設させ、このフットスイッチ１３２を顧客が踏むことにより、動画と静止画とを切換えるように構成している。このため、顧客が手を使わずに足踏み操作だけで切換えれるため、撮影中に任意のポーズをとりながら切換えたり、書込みながら切換えるなど利用操作を継続しながら切換えることができ、撮影の自由度が広がる。
　【００７１】
　また、フットスイッチ１３２に限らず、顧客の音声により切換える音声反応型スイッチを配設して構成することもでき、この場合も同様に手を使わずに容易に切換えることができる。
　【００７２】
　上述のように、顧客はディスプレイに対して手書き入力し易い位置や角度に自由に設定変更できるだけでなく、手書き入力のタイミングが自由であるため、撮影前に書いてもよく、撮影後に書いてもよく、また撮影画像を見ながら同時進行で書くこともできるなど楽しみ易い条件設定を実現できる。
　【００７３】
　この発明の構成と、上述の実施の形態との対応において、
　この発明の写真撮影装置は、実施の形態の写真シール自動販売機１１，９１，１０１，１３１に対応し、
　以下同様に、
　被写体は、顧客２４，９４，１０６に対応し、
　カメラは、デジタルカメラ２１，９６，１０２に対応し、
　照明手段は、照明装置２２に対応し、
　表示手段は、ディスプレイ１６，１０３またはＣＲＴ９２に対応し、
　入力手段および手書き入力手段は、入力装置１７に対応し、
　記憶手段は、ＲＡＭ３６に対応し、
　制御手段、画像取得手段および合成手段は、ＣＰＵ３１に対応し、
　切換え手段、音声スイッチおよび足踏みスイッチは、制御系の切換え回路またはフットスイッチ１３２に対応するも、この発明は上述の実施の形態の構成のみに限定されるものではない。
　【００７４】
　【発明の効果】
　この発明によれば、動画撮影中に手書き画像の入力ができるため、動画を見ながら手書きを楽しむことができる。さらに、切換え手段で、表示手段に表示する撮影画像を動画又は静止画に
繰り返し
入力された手書き画像の表示を保持したまま
【図面の簡単な説明】
　【図１】　この発明の写真シール自動販売機を示す斜視図。
　【図２】　この発明の写真シール自動販売機の使用状態を示す概略側面図。
　【図３】　この発明の写真シール自動販売機の制御回路ブロック図。
　【図４】　この発明のディスプレイの表示面を示す説明図。
　【図５】　この発明の制御動作を示すフローチャート。
　【図６】　この発明の写真シール自動販売機の作用を示すフローチャート。
　【図７】　この発明のディスプレイのシール分割数選択画面の一例を示す表示図。
　【図８】　この発明のディスプレイの動画書込み実行画面の一例を示す表示図。
　【図９】　この発明の写真シール自動販売機の他の実施の形態を示す概略側面図。
　【図１０】　この発明の写真シール自動販売機の他の実施の形態を示す斜視図。
　【図１１】　この発明の写真シール自動販売機の他の実施の形態の使用状態を示す概略側面図。
　【図１２】　この発明の写真シール自動販売機の他の実施の形態の使用状態を示す正面図。
　【図１３】　この発明の写真シール自動販売機の他の実施の形態を示す斜視図。
　【図１４】　従来の写真シール自動販売機の作用を示すフローチャート。
　【符号の説明】
　１１，９１，１０１，１３１…写真シール自動販売機
　１６，１０３…ディスプレイ
　１７…入力装置
　２１，９６，１０２…デジタルカメラ
　２２…照明装置
　２３…角度調整装置
　２４，９４，１０６…顧客
　３１…ＣＰＵ
　３４…プリンタ
　３５…スピーカ
　３６…ＲＡＭ
　９２…ＣＲＴ
　１０４…首振り台座
　１３２…フットスイッチ